(57)【要約】【課題】ディスプレイに重畳されたタッチパネルに対する操作に基づき、画面上のハイライト表示を制御する。【解決手段】  タッチパネル操作判定部３１は、タッチパネルから位置情報が入力されたことを検知し、検知した位置情報と表示部に表示されている操作画面とに基づき、ユーザの操作に対応する制御信号を発生する。リモコン操作判定部３２は、リモコン受信部から操作信号が入力されたことを検知し、検知した操作信号に対応する制御信号を発生する。発生された制御信号はバスを介して対応する各部に出力される。ハイライト表示制御部３３は、表示部に表示させている操作画面のうち、リモコンを用いたユーザの操作に対応して位置のハイライト表示を移動させ、タッチパネルに対する操作に対応してハイライト表示を解除する。カウンタ３４は、リモコンに対するユーザの無操作時間を計時する。本発明は、ビデオカメラに適用することができる。【選択図】図２
2006067157.tif 000002
【特許請求の範囲】
【請求項１】
ディスプレイに重畳されたタッチパネルに対する操作またはリモートコントローラを用いた操作に対応して処理を行う情報処理装置において、
前記リモートコントローラを用いた操作を検知する第１の検知手段と、
前記タッチパネルに対する操作を検知する第２の検知手段と、
前記第１の検知手段によって検知された前記リモートコントローラを用いた操作に対応して前記ディスプレイの画面上を指示するユーザの指示位置を示すための表示を実行させるとともに、前記第２の検知手段によって検知された前記タッチパネルに対する操作に対応して前記ディスプレイの画面上を指示するユーザの指示位置を示すための表示を解除させる表示制御手段と
を含むことを特徴とする情報処理装置。
【請求項２】
前記リモートコントローラを用いた操作が行われていない無操作時間を計時する計時手段をさらに含み、
前記表示制御手段は、前記無操作時間が所定の時間だけ継続した場合にも、前記ディスプレイの画面上を指示するユーザの指示位置を示すための表示を解除させる
ことを特徴とする請求項１に記載の情報処理装置。
【請求項３】
被写体を撮像して前記被写体に対応する画像信号を生成する撮像手段と、
前記撮像手段によって生成された画像信号を記録し、また再生する記録再生手段と
をさらに含むことを特徴とする請求項１に記載の情報処理装置。
【請求項４】
ディスプレイに重畳されたタッチパネルに対する操作またはリモートコントローラを用いた操作に対応して処理を行う情報処理方法において、
前記リモートコントローラを用いた操作を検知する第１の検知ステップと、
前記タッチパネルに対する操作を検知する第２の検知ステップと、
前記第１の検知ステップの処理で検知された前記リモートコントローラを用いた操作に対応して前記ディスプレイの画面上を指示するユーザの指示位置を示すための表示を実行させるとともに、前記第２の検知ステップの処理で検知された前記タッチパネルに対する操作に対応して前記ディスプレイの画面上を指示するユーザの指示位置を示すための表示を解除させる表示制御ステップと
を含むことを特徴とする情報処理方法。
【請求項５】
ディスプレイに重畳されたタッチパネルに対する操作またはリモートコントローラを用いた操作に対応して処理を行うためのプログラムであって、
前記リモートコントローラを用いた操作を検知する第１の検知ステップと、
前記タッチパネルに対する操作を検知する第２の検知ステップと、
前記第１の検知ステップの処理で検知された前記リモートコントローラを用いた操作に対応して前記ディスプレイの画面上を指示するユーザの指示位置を示すための表示を実行させるとともに、前記第２の検知ステップの処理で検知された前記タッチパネルに対する操作に対応して前記ディスプレイの画面上を指示するユーザの指示位置を示すための表示を解除させる表示制御ステップと
を含む処理をコンピュータに実行させることを特徴とするプログラム。
【発明の詳細な説明】
【技術分野】
【０００１】
本発明は、情報処理装置および方法、並びにプログラムに関し、特に、ディスプレイに重畳されたタッチパネルまたはリモートコントローラに対するユーザの操作に対応し、画面上におけるユーザの指示位置のハイライト表示を制御するようにした情報処理装置および方法、並びにプログラムに関する。
【背景技術】
【０００２】
例えば最近のビデオカメラのように、ユーザの操作を受け付けるユーザインタフェースとして、ディスプレイに重畳されたタッチパネルと、リモートコントローラ（以下、リモコンと略記する）との両方を備える電子装置が存在する。
【０００３】
このような電子装置では、ユーザがリモコンを用い、ディスプレイに表示されたキーや画像等を選択する操作を行った場合、ユーザが選択しているキー等が目立つように、選択されているキー等をハイライト表示する（選択されていないキー等に比較して、例えば輝度を増して表示する）を行う技術が知られている。また、このようなハイライト表示が行われた後、一定の時間リモコンを用いたユーザの操作が行われない場合にハイライト表示を解除するという発明が存在する（例えば、特許文献１参照）。
【０００４】
【特許文献１】特開平７３１９３４０号公報
【発明の開示】
【発明が解決しようとする課題】
【０００５】
ところで、ディスプレイに表示された画面上のハイライト表示は、ユーザがリモコンを操作しているときには自己の操作位置を認識するために有効である。しかしながら、ディスプレイ上に重畳されたタッチパネルを操作しているときには、自己の操作位置を認識する必要がないので、ハイライト表示が目障りとなって操作性が低下するという課題があった。
【０００６】
本発明はこのような状況に鑑みてなされたものであり、ディスプレイに重畳されたタッチパネルに対する操作に基づき、画面上のハイライト表示を制御できるようにするものである。
【課題を解決するための手段】
【０００７】
本発明の情報処理装置は、リモートコントローラを用いた操作を検知する第１の検知手段と、タッチパネルに対する操作を検知する第２の検知手段と、第１の検知手段によって検知されたリモートコントローラを用いた操作に対応してディスプレイの画面上を指示するユーザの指示位置を示すための表示を実行させるとともに、第２の検知手段によって検知されたタッチパネルに対する操作に対応してディスプレイの画面上を指示するユーザの指示位置を示すための表示を解除させる表示制御手段とを含むことを特徴とする。
【０００８】
本発明の情報処理装置は、リモートコントローラを用いた操作が行われていない無操作時間を計時する計時手段をさらに含むことができ、前記表示制御手段は、無操作時間が所定の時間だけ継続した場合にも、ディスプレイの画面上を指示するユーザの指示位置を示すための表示を解除させるようにすることができる。
【０００９】
本発明の情報処理装置は、被写体を撮像して被写体に対応する画像信号を生成する撮像手段と、撮像手段によって生成された画像信号を記録し、また再生する記録再生手段とをさらに含むことができる。
【００１０】
本発明の情報処理方法は、リモートコントローラを用いた操作を検知する第１の検知ステップと、タッチパネルに対する操作を検知する第２の検知ステップと、第１の検知ステップの処理で検知されたリモートコントローラを用いた操作に対応してディスプレイの画面上を指示するユーザの指示位置を示すための表示を実行させるとともに、第２の検知ステップの処理で検知されたタッチパネルに対する操作に対応してディスプレイの画面上を指示するユーザの指示位置を示すための表示を解除させる表示制御ステップとを含むことを特徴とする。
【００１１】
本発明のプログラムは、リモートコントローラを用いた操作を検知する第１の検知ステップと、タッチパネルに対する操作を検知する第２の検知ステップと、第１の検知ステップの処理で検知されたリモートコントローラを用いた操作に対応してディスプレイの画面上を指示するユーザの指示位置を示すための表示を実行させるとともに、第２の検知ステップの処理で検知されたタッチパネルに対する操作に対応してディスプレイの画面上を指示するユーザの指示位置を示すための表示を解除させる表示制御ステップとを含む処理をコンピュータに実行させることを特徴とする。
【００１２】
本発明の情報処理装置および方法、並びにプログラムにおいては、リモートコントローラを用いた操作に対応してディスプレイの画面上を指示するユーザの指示位置を示すための表示がおこなわれるとともに、タッチパネルに対する操作に対応してディスプレイの画面上を指示するユーザの指示位置を示すための表示が解除される。
【発明の効果】
【００１３】
本発明によれば、ディスプレイに重畳されたタッチパネルに対する操作に基づき、画面上のハイライト表示を制御することが可能となる。
【発明を実施するための最良の形態】
【００１４】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１５】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１６】
請求項１に記載の情報処理装置（例えば、図１のビデオカメラ１）は、リモートコントローラを用いた操作を検知する第１の検知手段（例えば、図２のリモコン操作判定部３２）と、タッチパネルに対する操作を検知する第２の検知手段（例えば、図２のタッチパネル操作判定部３１）と、第１の検知手段によって検知されたリモートコントローラを用いた操作に対応してディスプレイの画面上を指示するユーザの指示位置を示すための表示（例えば、ハイライト表示）を実行させるとともに、第２の検知手段によって検知されたタッチパネルに対する操作に対応してディスプレイの画面上を指示するユーザの指示位置を示すための表示を解除させる表示制御手段（例えば、図２のハイライト表示制御部３３）とを含む。
【００１７】
請求項２に記載の情報処理装置は、リモートコントローラを用いた操作が行われていない無操作時間を計時する計時手段（例えば、図２のカウンタ３４）をさらに含むことができ、前記表示制御手段は、無操作時間が所定の時間だけ継続した場合にも、ディスプレイの画面上を指示するユーザの指示位置を示すための表示を解除させる。
【００１８】
請求項３に記載の情報処理装置は、被写体を撮像して被写体に対応する画像信号を生成する撮像手段（例えば、図１の撮像部１５）と、撮像手段によって生成された画像信号を記録し、また再生する記録再生手段（例えば、図１の記録部１７）とをさらに含む。
【００１９】
請求項４に記載の情報処理方法は、リモートコントローラを用いた操作を検知する第１の検知ステップ（例えば、図５のステップＳ２）と、タッチパネルに対する操作を検知する第２の検知ステップ（例えば、図５のステップＳ１）と、第１の検知ステップの処理で検知されたリモートコントローラを用いた操作に対応してディスプレイの画面上を指示するユーザの指示位置を示すための表示（例えば、ハイライト表示）を実行させるとともに、第２の検知ステップの処理で検知されたタッチパネルに対する操作に対応してディスプレイの画面上を指示するユーザの指示位置を示すための表示を解除させる表示制御ステップ（例えば、図５のステップＳ８，Ｓ１４）とを含む。
【００２０】
なお、本発明のプログラムの請求項に記載の構成要件と、発明の実施の形態における具体例との対応関係は、上述した本発明の情報処理方法のものと同様であるので、その記載は省略する。
【００２１】
以下、本発明を適用した具体的な実施の形態について、図面を参照しながら詳細に説明する。
【００２２】
図１は、本発明の一実施の形態であるビデオカメラの構成例を示している。このビデオカメラ１は、動画像または静止画像を撮像して記録し、または再生するようになされている。制御部１１は、記録媒体１２に記録されている制御用プログラムに基づき、ユーザのタッチパネル１９に対する操作、またはリモコン２０に対する操作に従って、ビデオカメラ１の各部を制御する。また、制御部１１は、表示部１８に表示させる操作画面８１（図４）の画像信号を生成し、バス１３を介して表示部１８に出力する。
【００２３】
リモコン受信部１４は、ユーザの操作に対応してリモコン２０から送信される信号を受信し、受信した信号に対応する操作信号を、バス１３を介して制御部１１に出力する。
【００２４】
撮像部１５は、レンズ、絞り、シャッタ、CCD(Charge Coupled Device)、CDS(Correlated Double Sampling)、AGC(Auto Gain Control)、A/D(Analog Digital converter)等（いずれも不図示）から構成され、被写体の光学像を光電変換により画像信号に変換して、得られた画像信号を画像処理部１６に出力する。
【００２５】
画像処理部１６は、撮像部１５から入力される画像信号に所定の画像処理を施し、バス１３を介して表示部１８に出力する。また画像処理部１６は、撮像部１５から入力された画像信号を圧縮符号化し、その結果得られる符号化データを記録部１７に出力する。さらに、画像処理部１６は、記録部１７から入力される符号化データを伸長し、その結果得られる画像信号を表示部１８に出力する。
【００２６】
表示部１８は、制御部１１または画像処理部１６からバス１３を介して入力される画像信号に対する画像を表示する。表示部１８に重畳されたタッチパネル１９は、表示部１８の画面を透過するようになされており、表示部１８に表示された操作画面８１のキー等を選択するユーザの操作を受け付けて、その操作位置を示す位置情報を、バス１３を介して制御部１１に出力する。
【００２７】
図２は、制御部１１の詳細な構成例を示している。タッチパネル操作判定部３１は、タッチパネル１９からバス１３を介して位置情報が入力されたことを検知し、検知した位置情報と表示部１８に表示されている操作画面とに基づき、ユーザの操作に対応する制御信号を発生する。リモコン操作判定部３２は、リモコン受信部１４からバス１３を介して操作信号が入力されたことを検知し、検知した操作信号に対応する制御信号を発生する。発生された制御信号は、バス１３を介して対応する各部に出力される。
【００２８】
ハイライト表示制御部３３は、表示部１８に表示させている操作画面のうち、リモコン２０を用いたユーザの操作に対応してハイライト表示の位置を移動させ、タッチパネル１９に対する操作に対応してハイライト表示を解除する。カウンタ３４は、リモコン２０に対するユーザの無操作時間を計時する。
【００２９】
図３は、リモコン２０の外観の一例を示している。リモコン２０に設けられたSTART/STOP５１は、動画像撮像モードにおいては撮影の開始または停止を指示するために、静止画像撮像モードにおいては撮像タイミングを指示するときに操作される。ズームキー５２は、ズームインまたはズームアウトを指示するときに操作される。フォト(PHOTO)キー５３は、動画像撮影モードから静止画像撮影モードへの切り換えを指示するときに操作される。逆方向スキャンキー５４は、逆方向のスキャンまたはスロー再生を指示するときに操作される。順方向スキャンキー５５は、順方向のスキャンまたはスロー再生を指示するときに操作される。
【００３０】
プリビアスキー５６は、逆方向の頭出しを指示するときに操作される。ネクストキー５７は、順方向の頭出しを指示するときに操作される。再生(PLAY)キー５８は、選択されている動画像データの再生を指示するときに操作される。一時停止(PAUSE)キー５９は、動画像データの再生の一時停止を指示するときに操作される。停止(STOP)キー６０は、動画像データの再生の停止を指示するときに操作される。移動キー６１は、操作画面上の選択位置（ハイライト表示の位置）を移動させるときに操作される。決定(ENTER)キー６２は、移動キー６１によって示されている選択位置を確定するときに操作される。
【００３１】
図４は、表示部１８に表示される操作画面の表示例を示している。この操作画面８１において、サムネイル表示領域８２−１乃至８２−６には、記録部１７に記録されている符号化データにそれぞれ対応するサムネイル（縮小画像）が表示される。
【００３２】
上スクロールボタン８３は、サムネイル表示領域８２−１乃至８２−６に表示されるサムネイルを上方向にスクロールさせるときに操作される。操作の方法としては、ユーザがリモコン２０の移動キー６１を操作して、ハイライト表示を上スクロールボタン８３まで移動させた後に決定キー６２を操作するか、または、表示部１８に表示された上スクロールボタン８３に（実際にはタッチパネル１９に）に接触すればよい。以下に説明する他のボタンについても同様である。
【００３３】
下スクロールキー８４は、サムネイル表示領域８２−１乃至８２−６に表示されるサムネイルを下方向にスクロールさせるときに操作される。スライドバー８５は、サムネイル表示領域８２−１乃至８２−６に表示されるサムネイルを、上または下方向にスクロールさせるときにスライドされる。
【００３４】
動画タブ８６は、サムネイル表示領域８２−１乃至８２−６に、記録部１７に記録されている動画像の符号化データにそれぞれ対応するサムネイルを表示させるときに操作される。静止画タブ８７は、サムネイル表示領域８２−１乃至８２−６に、記録部１７に記録されている静止画像の符号化データにそれぞれ対応するサムネイルを表示させるときに操作される。プレイリストタブ８８は、記録部１７に記録されている動画および静止画の符号化データのうち、好みのものを選択して任意の順序で再生させるためのプレイリストを表示させるときに操作される。
【００３５】
次に、表示部１８に表示される操作画面８１におけるハイライト表示の概要について説明する。操作画面８１においては、リモコン２０を用いたユーザの操作位置を示すためにハイライト表示が行われる。すなわち、リモコン２０の移動キー６１を用いた操作が行われた場合、操作画面８１上の所定の位置（最終操作位置、または初期位置）のハイライト表示が行われる。そして、リモコン２０を用いた操作が継続している期間は、操作画面８１上の操作に対応する位置のハイライト表示が行われ、ユーザがタッチパネルに対して操作を行った場合、または、リモコン２０を用いた操作が所定の期間行われなかった場合、操作画面８１上の所定の位置のハイライト表示は解除される。
【００３６】
図５は、上述したようにハイライト表示を制御する処理（以下、ハイライト表示制御処理と記述する）を説明するフローチャートである。このハイライト表示制御処理は、ユーザからの所定の操作に対応して操作画面８１が表示されたときに開始される。
【００３７】
ステップＳ１において、タッチパネル操作判定部３１は、ユーザからタッチパネル１９に対して操作が行われたか否かを判定する。否と判定された場合、処理はステップＳ２に進む。ステップＳ２において、リモコン操作判定部３２は、ユーザからリモコン２０の移動キー６１または決定キー６２に対する操作が行われたか否かを判定する。否と判定された場合、処理はステップＳ３に進む。ステップＳ３において、カウンタ３４は、自己の値を１だけインクリメントする。ステップＳ４において、カウンタ３４は、自己の値が所定の閾値に達したか否かを判定する。否と判定された場合、ステップＳ１に戻り、それ以降の処理が繰り返される。
【００３８】
ステップＳ２において、リモコン２０の移動キー６１または決定キー６２に対する操作が行われたと判定された場合、処理はステップＳ５に進む。ステップＳ５において、ハイライト表示制御部３３は、現在表示されている操作画面８１においてハイライト表示が行われているか否かを判定する。否と判定された場合、処理はステップＳ６に進む。ステップＳ６において、ハイライト表示制御部３３は、最終操作位置情報（リモコン２０を用いた前回の操作に対応してハイライト表示が行われた位置を示す情報）を保持しているか否かを判定し、否と判定した場合、ステップＳ７に進む。ステップＳ７において、ハイライト表示制御部３３は、現在表示されている操作画面８１上の所定の初期位置にハイライト表示を行う。処理はステップＳ１に戻り、それ以降の処理が繰り返される。
【００３９】
ステップＳ６において、ハイライト表示制御部３３が最終操作位置情報を保持していると判定した場合、処理はステップＳ８に進む。ステップＳ８において、ハイライト表示制御部３３は、操作画面８１上の最終操作位置情報によって示される位置にハイライト表示を行う。処理はステップＳ１に戻り、それ以降の処理が繰り返される。
【００４０】
ステップＳ５において、現在表示されている操作画面８１においてハイライト表示が行われていると判定された場合、処理はステップＳ９に進む。ステップＳ９において、リモコン操作判定部３２は、ステップＳ２で検知したリモコン２０に対する操作に対応する制御信号を発生して対応する各部に出力する。これにより、例えば、ハイライト表示の位置が移動されたり、表示されているサムネイルがスクロールされたり、選択されているサムネイルに対応する符号化データの再生が開始されたりする。ステップＳ１０において、ハイライト表示制御部３３は、自己の保持する最終操作位置情報を、現在ハイライト表示が行われている位置を示すように更新する。ステップＳ１１において、カウンタ３４は、自己の値を初期値にリセットする。処理はステップＳ１に戻り、それ以降の処理が繰り返される。
【００４１】
ステップＳ１において、ユーザからタッチパネル１９に対して操作が行われたと判定された場合、処理はステップＳ１２に進む。ステップＳ１２において、タッチパネル操作判定部３２は、タッチパネル操作判定部３２は、ステップＳ１の処理で検知したタッチパネル１９に対する操作に対応する制御信号を発生し、対応する各部に出力する。これにより、これにより、例えば、表示されているサムネイルがスクロールされたり、サムネイルに対応する符号化データの再生が開始されたりする。
【００４２】
ステップＳ１３において、ハイライト表示制御部３３は、現在表示されている操作画面８１においてハイライト表示が行われているか否かを判定する。現在表示されている操作画面８１においてハイライト表示が行われていると判定した場合、ステップＳ１４に進み、そのハイライト表示を解除する。なお、ステップＳ１３において、否と判定された場合、ステップＳ１４の処理はスキップされる。
【００４３】
ステップＳ１５において、カウンタ３４は、自己の値を初期値にリセットする。処理はステップＳ１に戻り、それ以降の処理が繰り返される。
【００４４】
なお、ステップＳ４において、カウンタ３４の値が所定の閾値に達したと判定された場合、処理はステップＳ１３に進み、上述したようにハイライト表示が行われているならばそれが解除される。従って、ステップＳ４の処理におけるカウンタ３４の所定の閾値を適切な値に設定すれば、一定期間ユーザからの操作が入力されなかったときにハイライト表示を解除することができる。以上でハイライト表示制御処理の説明を終了する。
【００４５】
以上説明したように、ハイライト表示制御処理によれば、例えば図４に示された操作画面８１のようにハイライト表示が行われていない状態において、リモコン２０の移動キー６１または決定キー６２が操作された場合、操作されたキーに拘わらず、図６に示されるように、最終操作位置（または初期位置）であるサムネイル表示領域８２−４がハイライト表示される（図面においては、ハイライト表示を網目模様で示している）。そして、さらに例えば上方向の移動キー６１が操作された場合、図７に示すように、ハイライト表示がサムネイル表示領域８２−１に移動される。この後、リモコン２０を用いた操作が一定期間行われなければ、サムネイル表示領域８２−１のハイライト表示は解除され、図４に示された状態となる。
【００４６】
また、例えば、図７に示されたようにサムネイル表示領域８２−１がハイライト表示されている状態において、操作画面８１上の下スクロールボタン８４の位置のタッチパネル１９が操作された場合、図８に示されるように、サムネイルの表示が下方向にスクロールされるとともに、操作画面８１上のハイライト表示は解除される。
【００４７】
したがって、タッチパネル１９を操作するユーザにとって目障りなハイライト表示が無くなるので、操作画面８１の煩雑さが解消されて操作性が向上する。なお、いまの場合、タッチパネル１９に対して操作が行われた下スクロールボタン８４の位置が最終操作位置となる。したがって、次にリモコン２０の移動キー６１または決定キー６２が操作された場合、下スクロールボタン８４がハイライト表示されることになる。
【００４８】
なお、本発明は、本実施の形態のようなビデオカメラだけでなく、リモコンまたは画面上に重畳されたタッチパネルを用いてユーザが操作可能な電子装置に適用することができる。
【００４９】
また、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【図面の簡単な説明】
【００５０】
【図１】本発明を適用したビデオカメラの構成例を示すブロック図である。
【図２】図１の制御部の構成例を示すブロック図である。
【図３】図１のリモコンの外観正面図である。
【図４】図１の表示部に表示される操作画面の表示例を示す図である。
【図５】ハイライト表示制御処理を説明するフローチャートである。
【図６】図１の表示部に表示される操作画面の表示例を示す図である。
【図７】図１の表示部に表示される操作画面の表示例を示す図である。
【図８】図１の表示部に表示される操作画面の表示例を示す図である。
【符号の説明】
【００５１】
１  ビデオカメラ，  １１  制御部，  １２  記録媒体，  １３  バス，  １４  リモコン受信部，  １５  撮像部，  １６  画像処理部，  １７  記録部，  １８  表示部，  １９  タッチパネル，  ２０  リモコン，  ３１  タッチパネル操作判定部，  ３２  リモコン操作判定部，  ３３  ハイライト表示制御部，  ３４  カウンタ，  ６１  移動キー，  ６２  決定キー
【図１】
2006067157.tif 000003
【図２】
2006067157.tif 000004
【図３】
2006067157.tif 000005
【図４】
2006067157.tif 000006
【図５】
2006067157.tif 000007
【図６】
2006067157.tif 000008
【図７】
2006067157.tif 000009
【図８】
2006067157.tif 000010